【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
側方に少なくともひとつのディンプルを備える第１部分と、
第２部分と、を備え、
第２部分は第１部分よりも狭く、第１部分の軸方向寸法に沿って設けられており、
第２部分は切り込みを有する、コラプシブルバルブ。
【請求項２】
切り込みはディンプルから約９０度、角度的にずらされている、請求項１に記載のコラプシブルバルブ。
【請求項３】
ディンプルは切り込みに対して時計回りに配置される、請求項２に記載のコラプシブルバルブ。
【請求項４】
第１部分は実質的に円柱形である、請求項１に記載のコラプシブルバルブ。
【請求項５】
無針アクセスデバイスに組み込まれる請求項１に記載のコラプシブルバルブ。
【請求項６】
正の排水量を提供する請求項５に記載のコラプシブルバルブ。
【請求項７】
第２部分は平坦な上部を有し、その上部は無針アクセスデバイスの上面と共に流れに対する密閉を行う、請求項５に記載のコラプシブルバルブ。
【請求項８】
シリコンを含む、請求項１に記載のコラプシブルバルブ。
【請求項９】
第１部分および第２部分は環状である、請求項１に記載のコラプシブルバルブ。
【請求項１０】
メスフィッティングと、
メスフィッティングと結合されたオスフィッティングと、を備え、
メスフィッティングおよびオスフィッティングは内側体積を画定し、
本無針アクセスデバイスはさらに、内側体積内に設けられたコラプシブルバルブを備え
コラプシブルバルブは、
メスフィッティングに隣接し、表面に切り込みが設けられた第１部分と、
オスフィッティングに隣接し、第１部分に対して軸方向に設けられた第２部分と、を含み、
第２部分は側方にディンプルを含む、無針アクセスデバイス。
【請求項１１】
ディンプルは、第１部分の表面上の切り込みから放射状にずらされている、請求項１０に記載の無針アクセスデバイス。
【請求項１２】
ディンプルは、第１部分の表面上の切り込みから放射状に約９０度ずらされている、請求項１０に記載の無針アクセスデバイス。
【請求項１３】
第１部分はメスフィッティングにおいてシールを形成し、メスフィッティングの平坦な上面を生成する、請求項１０に記載の無針アクセスデバイス。
【請求項１４】
コラプシブルバルブは正の排水量を提供する、請求項１０に記載の無針アクセスデバイス。
【請求項１５】
メスフィッティングおよびオスフィッティングはルアーフィッティングを含む、請求項１０に記載の無針アクセスデバイス。
【請求項１６】
コラプシブルバルブの第２部分は実質的に円柱形である、請求項１０に記載の無針アクセスデバイス。
【請求項１７】
無針アクセスデバイスを製造する方法であって、オスフィッティングおよびメスフィッティングによって画定される体積内にコラプシブルバルブを設けることを含み、
コラプシブルバルブの第１部分はメスフィッティングに隣接し、その第１部分はメスフィッティングの開口においてシールを提供し、
コラプシブルバルブは、互いに軸方向に設けられた第１部分および第２部分を含み、
第２部分は側方にディンプルを含み、
ディンプルは第１部分の表面上の切り込みから放射状にずらされている、方法。
【請求項１８】
無針アクセスデバイスを消毒して梱包することをさらに含む、請求項１７に記載の方法。
【請求項１９】
内部空洞を有するハウジングと、
内部空洞内に設けられたバルブと、を備え、
バルブは、
少なくともひとつの側方切り込みを有する中空第１部分と、
第１部分と固定的に結合された第２部分と、を含み、
第２部分は側方切り込みを有し、
本アクセスデバイスが無針コネクタによって駆動されるとき第１部分および第２部分がそれぞれ別個に潰れることにより、バルブはシール位置から開放位置へ動き、
第１部分の少なくともひとつの側方切り込みが、第２部分の側方切り込みから約９０度に位置することによって、無針コネクタが本アクセスデバイスを駆動する際、第１部分は第２部分が潰れるのよりも先に潰れる無針アクセスデバイス。
【請求項２０】
第１部分はさらに円柱壁を有する空洞を有し、少なくともひとつの側方切り込みは円柱壁に形成される、請求項１９に記載の無針アクセスデバイス。
【請求項２１】
円柱壁は、少なくともひとつの側方切り込みと協働して、無針コネクタが本アクセスデバイスを駆動する際に第１部分が第２部分が潰れるのよりも先に潰れるようにするよう選択された厚さを有する、請求項２０に記載の無針アクセスデバイス。
【請求項２２】
第１部分の空洞は、ハウジングとバルブとの間の液体空間と第１部分の空洞内の別個の空気空間とを形成するように、ハウジングに対してシールされている、請求項２０に記載の無針アクセスデバイス。
【請求項２３】
空気空間は、ハウジングを通り外部環境に至る通路によってベントされる、請求項２２に記載の無針アクセスデバイス。
【請求項２４】
バルブがシール位置から開放位置に動くにつれて、空気空間の体積は減少すると共に液体空間の体積は増加する、請求項２２に記載の無針アクセスデバイス。
【請求項２５】
第１部分の少なくともひとつの側方切り込みは、第２部分の側方切り込みに対して時計回りに配置されている、請求項１８に記載の無針アクセスデバイス。
【請求項２６】
第２部分の側方切り込みの下方には第１部分の側方切り込みは配置されていない、請求項１８に記載の無針アクセスデバイス。
【請求項２７】
第２部分はさらに、バルブがシール位置にあるときハウジングの入口開口と実質的に同一平面となるよう配置された平坦面であってバルブが開放位置にあるとき入口開口から動かされる平坦面を有する、請求項１８に記載の無針アクセスデバイス。
【請求項２８】
出口を有する下部ハウジングと、
下部ハウジングと密閉的に結合することで内部空洞を形成する上部ハウジングであって入口を有する上部ハウジングと、
内部空洞内に設けられたバルブと、を備え、
バルブは、
空洞を形成する閉端型円柱壁を有する第１部分と、
第１部分と固定的に結合され、第１部分に揃えられた固体第２部分と、を含み、
円柱壁は、周と、円柱壁の外周面の両側に設けられた少なくともふたつの側方切り込みと、を有し、
第２部分は笑顔切り込みと平坦上面とを有し、
笑顔切り込みは第１部分の側方切り込みから９０度のところに配置され、
円柱壁の周は、結合された上部ハウジングおよび下部ハウジングとバルブと、の間の液体空間と、第１部分の空洞内に設けられた空気空間と、を形成するように、下部ハウジングに対してシールされ、
空気空間は下部ハウジングの通路を通じて外部環境にベントされ、
無針コネクタが本アクセスデバイスを駆動する際、第１部分が第２部分が潰れるのよりも先に潰れることによって、バルブはシール位置から開放位置に動く無針アクセスデバイス。
【請求項２９】
ディンプルは第１部分の表面の切り込みから約９０度、角度的にずらされている、請求項１７に記載の方法。
【手続補正２】
【補正対象書類名】明細書
【補正対象項目名】００３０
【補正方法】変更
【補正の内容】
【００３０】
本発明およびその利点が詳細に説明されてきたが、添付の請求項によって規定される本発明の精神および範囲から逸脱することなく、本明細書において種々の変更、置換および代替を行うことができることは理解されるべきである。さらに、本願の範囲を、本明細書において説明されたプロセスや機械や製造や物質構成や手段や方法やステップの特定の実施の形態に限定することを意図しているわけではない。本発明の開示から当業者であれば容易に理解する通り、既存のものであれ後に開発されるものであれ、本明細書で説明された対応する実施の形態と実質的に同じ機能を有するまたは実質的に同じ結果を得ることができるプロセスや機械や製造や物質構成や手段や方法やステップは、本発明にしたがって使用されうる。したがって、添付の請求項はその範囲の中に、そのようなプロセスや機械や製造や物質構成や手段や方法やステップを含むよう意図されている。
本願は少なくとも以下のコンセプトを開示する。
コンセプト１
側方に少なくともひとつのディンプルを備える第１部分と、
第２部分と、を備え、
第２部分は第１部分よりも狭く、第１部分の軸方向寸法に沿って設けられており、
第２部分は切り込みを有する、コラプシブルバルブ。
コンセプト２
切り込みはディンプルから約９０度、角度的にずらされている、コンセプト１に記載のコラプシブルバルブ。
コンセプト３
ディンプルは切り込みに対して時計回りに配置される、コンセプト２に記載のコラプシブルバルブ。
コンセプト４
第１部分は実質的に円柱形である、コンセプト１に記載のコラプシブルバルブ。
コンセプト５
無針アクセスデバイスに組み込まれるコンセプト１に記載のコラプシブルバルブ。
コンセプト６
正の排水量を提供するコンセプト５に記載のコラプシブルバルブ。
コンセプト７
第２部分は平坦な上部を有し、その上部は無針アクセスデバイスの上面と共に流れに対する密閉を行う、コンセプト５に記載のコラプシブルバルブ。
コンセプト８
シリコンを含む、コンセプト１に記載のコラプシブルバルブ。
コンセプト９
第１部分および第２部分は環状である、コンセプト１に記載のコラプシブルバルブ。
コンセプト１０
メスフィッティングと、
メスフィッティングと結合されたオスフィッティングと、を備え、
メスフィッティングおよびオスフィッティングは内側体積を画定し、
本無針アクセスデバイスはさらに、内側体積内に設けられたコラプシブルバルブを備え
コラプシブルバルブは、
メスフィッティングに隣接し、表面に切り込みが設けられた第１部分と、
オスフィッティングに隣接し、第１部分に対して軸方向に設けられた第２部分と、を含み、
第２部分は側方にディンプルを含む、無針アクセスデバイス。
コンセプト１１
ディンプルは、第１部分の表面上の切り込みから放射状にずらされている、コンセプト１０に記載の無針アクセスデバイス。
コンセプト１２
ディンプルは、第１部分の表面上の切り込みから放射状に約９０度ずらされている、コンセプト１０に記載の無針アクセスデバイス。
コンセプト１３
第１部分はメスフィッティングにおいてシールを形成し、メスフィッティングの平坦な上面を生成する、コンセプト１０に記載の無針アクセスデバイス。
コンセプト１４
コラプシブルバルブは正の排水量を提供する、コンセプト１０に記載の無針アクセスデバイス。
コンセプト１５
メスフィッティングおよびオスフィッティングはルアーフィッティングを含む、コンセプト１０に記載の無針アクセスデバイス。
コンセプト１６
コラプシブルバルブの第２部分は実質的に円柱形である、コンセプト１０に記載の無針アクセスデバイス。
コンセプト１７
無針アクセスデバイスを製造する方法であって、オスフィッティングおよびメスフィッティングによって画定される体積内にコラプシブルバルブを設けることを含み、
コラプシブルバルブの第１部分はメスフィッティングに隣接し、その第１部分はメスフィッティングの開口においてシールを提供し、
コラプシブルバルブは、互いに軸方向に設けられた第１部分および第２部分を含み、
第２部分は側方にディンプルを含み、
ディンプルは第１部分の表面上の切り込みから放射状にずらされている、方法。
コンセプト１８
無針アクセスデバイスを消毒して梱包することをさらに含む、コンセプト１７に記載の方法。